(57)【要約】【課題】優先の電源供給順序が設定できるマルチ出力回路装置を提供する。【解決手段】高い安全性を具有すると同時に、ランダムに変動する負荷を持つマルチ出力の電源を供給する回路装置に適用し、ランダムに変動する負荷の運転状態において、トータル負荷電流が設定値を超過するときに、設定されたオバロード回路切断の順序により、非優先の負荷を切断して、次の優先の負荷に電源を供給し続ける優先の電源供給順序が設定できるマルチ出力回路装置である。【選択図】  図１
2004208393.tif 000002
【特許請求の範囲】
【請求項１】
優先の電源供給順序が設定できるマルチ出力回路装置において、特定回路のレイアウトで、ツーセット又はツーセット以上の出力インターフェース装置の配電システム又は独立の用電設備（Ｅｌｅｃｔｒｉｃ  Ｅｑｕｉｐｍｅｎｔ）の配電回路装置又はコンセントを操作、制御し、各出力インターフェース装置の電源供給の優先順序を設定し、マルチ出力端の負荷がランダムに変動して、負荷のトータル電流値が定額値電流を超過するときに前述の設定した優先順序により、不優先の出力端の部分負荷を切断し、負荷のトータル電流を定額値以下まで減らし、その優先の電源供給順序が設定できるマルチ出力回路装置は高い安全性を具有すると同時に、ランダムに変動する負荷を持つマルチ出力の電源を供給する回路装置にも適用し、ランダムに変動する負荷の運転状態においてトータル負荷電流が設定値を超過するときに、設定されたオバロード回路切断の順序により非優先の負荷を切断して、次の優先の負荷に電源を供給し続けることを特徴とする優先の電源供給順序が設定できるマルチ出力回路装置。
【請求項２】
直流又は単相交流のツーワイヤタイプの電源２００に応用され、マルチ出力のインターフェース装置を操作、制御し、ツーセットの異なる定額オバロードトリップオフ電流のオバロードブレーカーが設けられ、各セットのオバロードブレーカーはオバロード電流の発熱で回路切断の結構を作動させ、又はオバロード電流の励磁効果で回路切断の結構を作動させる機構から構成され、オバロード電流の発熱作動機構で、オバロードの時に操作、制御の接点を切断させ、又は電流の励磁効果の作動機構で、オバロードの時に操作、制御の接点を切断させ、オバロードブレーカーの機能に役立ち、オバロードの作動機構１０１、１０２は相互に直列であるが、オバロードの作動機構１０１の定額オバロードトリップオフ電流値が少しオバロードの作動機構１０２のより大きく、トリップオフ状態の保持機構を結び、電磁コイルの磁性吸引力や細長い永久マグネットの磁性吸引力や予定力を持つ係止機構でトリップオフ状態を保持し、人工の操作でそれをリセット（Ｒｅｓｅｔ）させ、又は機械作動力、電磁力の駆動でリセットさせ、一方、各セットの異なる定額オバロードトリップオフ電流のオバロードブレーカーにおいてオバロード電流の発熱作動機構又は電流の励磁効果の作動機構１０１、１０２は相互に直列であり、電源ワイヤと直列であり、各セットの異なる定額オバロードトリップオフ電流のオバロード作動機構１０１、１０２に属するそれぞれの接点１１１、１１２は各セットの出力に直列であるので、個別に各セットの出力端を操作、制御し、定額オバロードトリップオフ電流が大きいというオバロード作動機構１０１に属する接点１１１は最優先の電源供給出力端の第一出力インターフェース装置１２１に直列にされ、第一出力インターフェース装置１２１を操作、制御し、それに対して、定額オバロードトリップオフ電流が次の大きいというオバロード作動機構１０２に属する接点１１２は次の優先の電源供給出力端の第二出力インターフェース装置１２２に直列にされ、第二出力インターフェース装置１２２を操作、制御し、ランダムに変動するマルチ出力状態において、各出力端のトータル出力電流が定額値を超過するときに、次の大きいオバロードトリップオフ電流を持つオバロード作動機構１０２に操作、制御する接点１１２がトリップオフして電源を切断させ、合成のトータル出力電流を調整、低降させ、トータル出力電流が依然として大き過ぎる場合に、最大オバロードトリップオフ電流を持つオバロード作動機構１０１に操作、制御する接点１１１もトリップオフして、全部の出力電流を切断させることを特徴とする請求項１記載の優先の電源供給順序が設定できるマルチ出力回路装置。
【請求項３】
直流又は単相交流のツーワイヤタイプの電源２００に応用され、マルチ出力のインターフェース装置を操作、制御し、ツーセット又はツーセット以上の異なる定額オバロードトリップオフ電流のオバロードブレーカーが設けられ、各セットのオバロードブレーカーはオバロード電流の発熱で、回路切断の結構を作動させ、又はオバロード電流の励磁効果で、回路切断の結構を作動させる機構から構成され、オバロードの作動機構１０１、１０２、１０３を含み、オバロードの作動機構１０１の定額オバロードトリップオフ電流値が少しオバロードの作動機構１０２のより大きいが、オバロードの作動機構１０２の定額オバロードトリップオフ電流値が少しオバロードの作動機構１０３のより大きく、オバロード電流の発熱作動機構で、オバロードの時に操作、制御の接点を切断させ、又は、電流の励磁効果の作動機構で、オバロードの時に操作、制御の接点を切断させ、オバロードブレーカーの機能に役立ち、トリップオフ状態の保持機構を結び、電磁コイルの磁性吸引力や細長い永久マグネットの磁性吸引力や予定力を持つ係止機構でトリップオフ状態を保持し、人工の操作でそれをリセット（Ｒｅｓｅｔ）させ、又は機械作動力、電磁力の駆動でリセットさせ、一方、各セットの異なる定額オバロードトリップオフ電流のオバロードブレーカーにおいて、オバロード電流の発熱作動機構又は電流の励磁効果の作動機構１０１、１０２、１０３は相互に直列であり、電源ワイヤと直列であり、各セットの異なる定額オバロードトリップオフ電流のオバロード作動機構１０１、１０２、１０３に属するそれぞれの接点１１１、１１２、１１３は各セットの出力に直列であるので、個別に各セットの出力端を操作、制御し、定額オバロードトリップオフ電流が大きいというオバロード作動機構１０１に属する接点１１１は最優先の電源供給出力端の第一出力インターフェース装置１２１に直列に接続され、第一出力インターフェース装置１２１を操作、制御し、定額オバロードトリップオフ電流が次の大きいというオバロード作動機構１０２に属する接点１１２は次の優先の電源供給出力端の第二出力インターフェース装置１２２に直列に接続され、第二出力インターフェース装置１２２を操作、制御し、定額オバロードトリップオフ電流が最小というオバロード作動機構１０３に属する接点１１３は最低優先の電源供給出力端の第三出力インターフェース装置１２３に直列に接続され、第三出力インターフェース装置１２３を操作、制御し、ランダムに変動するマルチ出力状態において、各出力端のトータル出力電流が定額値を超過するときに、最小オバロードトリップオフ電流を持つオバロード作動機構１０３に操作、制御する接点１１３がトリップオフして、負荷電流を減らし、トータル出力電流が依然としてトータル負荷の定額電流より大きい場合に、次の大きいオバロードトリップオフ電流を持つオバロード作動機構１０２に操作、制御する接点１１２がトリップオフして電源を切断させ、合成のトータル出力電流を調整、低降させ、トータル出力電流が依然として大き過ぎる場合に、最大オバロードトリップオフ電流を持つオバロード作動機構１０１に操作、制御する接点１１１もトリップオフして、全部の出力電流を切断させることを特徴とする請求項１記載の優先の電源供給順序が設定できるマルチ出力回路装置。
【請求項４】
異なる定額のオバロード電流値を持つオバロードブレーカーの構成方式は次の結構形態を採用し、
二つ又は二つ以上、熱の作動接点１００１、１００２、１００３、及び上述の熱の作動接点１００１、１００２、１００３にマッチするオバロード電流の発熱で作動する機構１０１１、１０１２、１０１３により、異なる定額オバロード電流値を具有するオバロードブレーカー１０２１、１０２２、１０２３を構成し、熱作動のバイメタル又は記憶合金で、熱を受けると、トリップオフ、切断される接点の結構から構成され、トリップオフ状態の保持機構を結び、例えば、電磁コイルの磁性吸引力や細長い永久マグネットの磁性吸引力や予定力を持つ係止機構でトリップオフ状態を保持し、人工の操作でそれをリセット（Ｒｅｓｅｔ）させ、又は機械作動力、電磁力の駆動でリセットさせ、一方、各オバロード電流の発熱作動機構１０１１、１０１２、１０１３は直列であり、異なるオバロード電流の場合に、それぞれ相対的な熱の作動接点１００１、１００２、１００３を切断し、オバロード電流の発熱で作動する機構はニーズにより、低い融点を持つ材料を選択してもよく、同時にオバロード回路切断のフューズの効果を果たすことを特徴とする請求項２又は３記載の優先の電源供給順序が設定できるマルチ出力回路装置。
【請求項５】
異なる定額のオバロード電流値を持つオバロードブレーカーの構成方式は次の結構形態を採用し、二つ又は二つ以上、接点１０３１、１０３２、１０３３、及び上述の接点１０３１、１０３２、１０３３にマッチする電流の励磁効果で作動する機構１０４１、１０４２、１０４３により、異なる定額オバロード電流値を具有するオバロードブレーカー１０５１、１０５２、１０５３を構成し、電流リレー（CURRENT RELAY）で、オバロード電流があると接点を吸引して、トリップオフ、切断させる結構、又は予定力で操作、制御する接点が電流のコイルに駆動される引き金機構を含み、電流がオバロードする場合に作動して、予定力の接点をリリースさせ、トリップオフ、回路を切断させ、トリップオフ状態の保持機構を結び、電磁コイルの磁性吸引力や細長い永久マグネットの磁性吸引力や予定力を持つ係止機構で、トリップオフ状態を保持し、人工の操作で、それをリセット（Ｒｅｓｅｔ）させ、又は機械作動力、電磁力の駆動でリセットさせ、一方、各電流の励磁効果で作動する機構１０４１、１０４２、１０４３は直列であり、異なるオバロード電流の場合に、それぞれ相対的な接点１０３１、１０３２、１０３３を切断することを特徴とする請求項２又は３記載の優先の電源供給順序が設定できるマルチ出力回路装置。
【請求項６】
異なる定額のオバロード電流値を持つオバロードブレーカーの構成方式は次の結構形態を採用し、二つ又は二つ以上、個別独立の熱の作動接点１０６１、１０６２、１０６３及び共同マッチの一体化結構型の発熱作動機構１０７１により、発熱作動の一体化結構型、マルチ接点のオバロードブレーカー１０７２を構成し、異なるオバロード電流の場合に、熱作動の接点１０６１、１０６２、１０６３はそれぞれ定額の異なる回路切断動作電流値に応じて、小から大までの優先順序で、相対的な熱の作動接点１０６１、１０６２、１０６３を切断させ、主に熱作動のバイメタル又は記憶合金で、熱を受けるとトリップオフ、切断される接点の結構から構成され、トリップオフ状態の保持機構を結び、電磁コイルの磁性吸引力や細長い永久マグネットの磁性吸引力や予定力を持つ係止機構でトリップオフ状態を保持し、人工の操作でそれをリセット（Ｒｅｓｅｔ）させ、又は機械作動力、電磁力の駆動でリセットさせ、オバロード電流の発熱で作動する機構はニーズにより、低い融点を持つ材料を選択してもよく、同時にオバロード回路切断のフューズの効果を果たすことを特徴とする請求項２又は３記載の優先の電源供給順序が設定できるマルチ出力回路装置。
【請求項７】
異なる定額のオバロード電流値を持つオバロードブレーカーの構成方式は次の結構形態を採用し、二つ又は二つ以上、個別独立の接点１０８１、１０８２、１０８３及び共同マッチの一体化結構型の電磁効果の作動機構１０９１により、電磁効果の作動の一体化結構型オバロードブレーカー１０９２を構成し、異なるオバロード電流の場合に、それぞれ定額の異なる回路切断動作電流値に応じて、小から大までの優先順序で相対的な接点１０８１、１０８２、１０８３を切断させ、電流リレー（CURRENT RELAY）で、オバロード電流があると、接点を吸引してトリップオフ、切断させる結構、又は予定力で操作、制御する接点が電流のコイルに駆動される引き金機構を含み、電流がオバロードする場合に、作動して、予定力の接点をリリースさせ、トリップオフ、回路を切断させ、トリップオフ状態の保持機構を結び、電磁コイルの磁性吸引力や細長い永久マグネットの磁性吸引力や予定力を持つ係止機構でトリップオフ状態を保持し、人工の操作でそれをリセット（Ｒｅｓｅｔ）させ、又は機械作動力、電磁力の駆動でリセットさせることを特徴とする請求項２又は３記載の優先の電源供給順序が設定できるマルチ出力回路装置。
【請求項８】
二つ以上の接点及び共同のオバロードブレーカーをマッチする一体化結構型のマルチ接点のオバロードブレーカーは主に、次の構成を含み、その一体化結構型マルチ接点のオバロードブレーカー結構は直流又は単相交流のツーワイヤ電源２００に応用され、マルチ出力の負荷を操作、制御し、二つ又は二つ以上の回路切断用の操作制御接点２００１、２００２、２００３を経由して、共同の作動機構２０００に合わせて、一体化結構型のマルチ接点のオバロードブレーカーを構成し、共同オバロードブレーカーはオバロード電流の発熱で、回路切断の結構を作動させ、又はオバロード電流の励磁効果で、回路切断の結構を作動させる機構から構成され、トリップオフ状態の保持機構を結び、例えば、電磁コイルの磁性吸引力や細長い永久マグネットの磁性吸引力や予定力を持つ係止機構でトリップオフ状態を保持し、人工の操作でそれをリセット（Ｒｅｓｅｔ）させ、又は機械作動力、電磁力の駆動でリセットさせ、接点２００１を制御する共同オバロードの作動機構２０００の定額オバロードトリップオフ電流値が少し接点２００２のより大きいが、接点２００２を制御する共同オバロードの作動機構２０００の定額オバロードトリップオフ電流値が少し接点２００３のより大きく、共同オバロードの作動機構２０００のオバロード電流の発熱作動ユニット又は電流の励磁の作動ユニットは電源ワイヤと直列であり、それぞれの接点２００１、２００２、２００３はそれぞれ各セットの出力端に直列であり、オバロードトリップオフ電流が大きいという回路切断用の操作、制御接点２００１は最優先の電源供給出力端の第一出力インターフェース装置２０１１に直列に接続され、第一出力インターフェース装置２０１１を操作、制御し、オバロードトリップオフ電流が次の大きいという回路切断用の操作、制御接点２００２は次の優先の電源供給出力端の第二出力インターフェース装置２０１２に直列に接続され、第二出力インターフェース装置２０１２を操作、制御し、オバロードトリップオフ電流が最小という回路切断用の操作、制御接点２００３は最低優先の電源供給出力端の第三出力インターフェース装置２０１３に直列に接続され、第三出力インターフェース装置２０１３を操作、制御し、ランダムに変動するマルチ出力状態において、各出力端のトータル出力電流が定額値を超過するときに、最小オバロードトリップオフ電流値を持つ接点２００３がトリップオフして、部分の負荷電流を減らし、トータル出力電流が依然としてトータル負荷の定額電流より大きい場合に、次の大きいオバロードトリップオフ電流値を持つ接点２００２がトリップオフして、トータル出力電流を調整、低降させ、トータル出力電流が依然として大き過ぎる場合に、最大オバロードトリップオフ電流値を持つ接点２００１もトリップオフして、全部の出力電流を切断させることを特徴とする請求項１記載の優先の電源供給順序が設定できるマルチ出力回路装置。
【請求項９】
異なる定額のオバロードトリップオフ電流値を具有するマルチセットの独立のオバロードブレーカーで、三相、又は三線式の電源応用案例の回路を構成し、それは主に次の要素から形成され、
その優先の電源供給順序が設定できるマルチ出力回路装置は三相、又は三線式の電源３００に応用されるときに、各相の電源ワイヤ又はマルチワイヤタイプの電源の各電源ワイヤにおいて、それぞれツーセット又はツーセット以上の異なる定額のオバロードトリップオフ電流を持つオバロードブレーカーを設け、各オバロードブレーカーはオバロード電流の発熱作動結構、又はオバロード電流の励磁効果で、回路切断の結構を作動させる機構から構成され、その中に、Ｕ相電源に直列であるオバロード作動機構３００１、３００２、３００３はそれぞれ対応した接点３０１１、３０１２、３０１３を操作、制御し、Ｖ相電源に直列であるオバロード作動機構３００４、３００６、３００６はそれぞれ対応した接点３０１４、３０１５、３０１６を操作、制御し、Ｗ相電源に直列であるオバロード作動機構３００７、３００８、３００９はそれぞれ対応した接点３０１７、３０１８、３０１９を操作、制御し、オバロード作動機構３００１の定額オバロードトリップオフ電流値が少しオバロード作動機構３００２のより大きいが、オバロード作動機構３００２の定額オバロードトリップオフ電流値が少しオバロード作動機構３００３のより大きく、オバロード作動機構３００４の定額オバロードトリップオフ電流値が少しオバロード作動機構３００５のより大きいが、オバロード作動機構３００５の定額オバロードトリップオフ電流値が少しオバロード作動機構３００６のより大きく、オバロード作動機構３００７の定額オバロードトリップオフ電流値が少しオバロード作動機構３００８のより大きいが、オバロード作動機構３００８の定額オバロードトリップオフ電流値が少しオバロード作動機構３００９のより大きく、オバロード電流の発熱作動機構で、オバロードのときに操作、制御の接点を切断させ、又は、電流の励磁効果の作動機構で、オバロードのときに、操作、制御の接点を切断させ、オバロードブレーカーの機能に役立ち、トリップオフ状態の保持機構を結び、電磁コイルの磁性吸引力や細長い永久マグネットの磁性吸引力や予定力を持つ係止機構で、トリップオフ状態を保持し、人工の操作で、それをリセット（Ｒｅｓｅｔ）させ、又は機械作動力、電磁力の駆動でリセットさせ、各セットの異なる定額オバロード電流値を持つオバロードブレーカーのオバロード電流の発熱作動ユニット又は電流の励磁の作動ユニットは相互に直列であって、それぞれ三相又は三線タイプの電源ワイヤと直列であり、各セットの異なるトリップオフ電流値を持つオバロードブレーカーの対応接点３０１１、３０１４、３０１７は第一出力インターフェース装置３０２１各入力端に直列に接続され、接点３０１２、３０１５、３０１８は第二出力インターフェース装置３０２２各入力端に直列に接続され、接点３０１３、３０１６、３０１９は第三出力インターフェース装置３０２３の各出力端に直列に接続され、オバロードトリップオフ電流が大きいというオバロード作動機構３００１、３００４、３００７の接点３０１１、３０１４、３０１７は最優先の電源供給出力端の第一出力インターフェース装置３０２１に直列に接続され、第一出力インターフェース装置３０２１を操作、制御し、オバロードトリップオフ電流が次の大きいというオバロード作動機構３００２、３００５、３００８の接点３０１２、３０１５、３０１８は次の優先の電源供給出力端の第二出力インターフェース装置３０２２に直列に接続され、第二出力インターフェース装置３０２２を操作、制御し、オバロード作動機構３００３、３００６、３００９の接点３０１３、３０１６、３０１９は最低優先の電源供給出力端の第三出力インターフェース装置３０２３に直列に接続され、第三出力インターフェース装置３０２３を操作、制御し、ランダムに変動するマルチ出力状態において、各出力端のトータル出力電流が定額値を超過するときに、最小オバロードトリップオフ電流値を持つオバロード作動機構３００３、３００６、３００９がトリップオフして、３０２３の出力を切断させ、トータル出力電流を減らし、トータル出力電流が依然としてトータル負荷の定額電流より大きい場合に、次の大きいオバロードトリップオフ電流値を持つオバロード作動機構３００２、３００５、３００８がトリップオフして、負荷のトータル電流を調整、低降させ、出力電流が依然として大き過ぎる場合に、最大オバロードトリップオフ電流値を持つオバロード作動機構３００１、３００４、３００７もトリップオフして、全部の出力電流を切断させ、
上述の多相電源に応用される場合に、いずれの一相の電源ワイヤはニーズにより、オバロードブレーカーを設置するか、設置しないかということが選択可能であり、中性ワイヤもニーズにより、オバロードブレーカーを設置するか、設置しないかということが選択可能であることを特徴とする請求項１記載の優先の電源供給順序が設定できるマルチ出力回路装置。
【請求項１０】
一体化結構型のマルチ接点のオバロードブレーカーから、三相、又は三線式の電源応用案例の回路を構成し、それは主に次の要素から形成され、
その優先の電源供給順序が設定できるマルチ出力回路装置は三相、又は三線式の電源３００に応用されるときに、各相の電源ワイヤ又はマルチワイヤタイプの電源の各電源ワイヤにおいて、それぞれ一体化結構型のマルチ接点のオバロードブレーカー４００１、４００２、４００３を設け、ツーセット又はツーセット以上の異なる定額のオバロードトリップオフ電流を持つ接点を操作、制御し、その中に、Ｕ相電源に直列であるオバロード作動機構４００１はそれぞれ対応した接点４０１１、４０１２、４０１３を操作、制御し、Ｖ相電源に直列であるオバロード作動機構４００２はそれぞれ対応した接点４０１４、４０１５、４０１６を操作、制御し、Ｗ相電源に直列であるオバロード作動機構４００３はそれぞれ対応した接点４０１７、４０１８、４０１９を操作、制御し、各オバロードブレーカーはオバロード電流の発熱作動機構又はオバロード電流の励磁効果の作動機構から構成され、Ｕ相電源に直列であるオバロード作動機構４００１、Ｖ相電源に直列であるオバロード作動機構４００２、Ｗ相電源に直列であるオバロード作動機構４００３を含み、オバロード電流の発熱作動機構で、オバロードのときに異なる定額オバロードトリップオフ電流値の設定順序により操作、制御の接点を切断させ、又は、電流の励磁効果の作動機構でオバロードのときに異なる定額オバロードトリップオフ電流値の設定順序により操作、制御の接点を切断させ、オバロードブレーカーの機能に役立ち、トリップオフ状態の保持機構を結び、電磁コイルの磁性吸引力や細長い永久マグネットの磁性吸引力や予定力を持つ係止機構で、トリップオフ状態を保持し、人工の操作でそれをリセット（Ｒｅｓｅｔ）させ、又は機械作動力、電磁力の駆動でリセットさせ、各セットのオバロードブレーカーにおいて、オバロード電流の発熱作動ユニット又は電流の励磁効果の作動ユニットから形成される一体化結構型のオバロード作動機構４００１、４００２、４００３はそれぞれ三相、又は三線式の電源ワイヤと直列に接続され、各セットのオバロードブレーカーに操作、制御される個別接点において、定額回路切断の設定される高いトリップオフ電流値を持つ接点４０１１、４０１４、４０１７が第一出力インターフェース装置４０２１の各入力端に直列に接続され、定額回路切断の設定される次の高いトリップオフ電流値を持つ接点４０１２、４０１５、４０１８が第二出力インターフェース装置４０２２の各入力端に直列に接続され、定額回路切断の設定される最低トリップオフ電流値を持つ接点４０１３、４０１６、４０１９が第三出力インターフェース装置４０２３の各入力端に直列に接続され、それで、それぞれ各セットの出力端を操作、制御し、ランダムに変動するマルチ出力状態において、各出力端のトータル出力電流が定額値を超過するときに、最小オバロードトリップオフ電流値を持つ接点４０１３、４０１６、４０１９がトリップオフして第三出力インターフェース装置４０２３の出力を切断させ、トータル出力電流を減らし、トータル出力電流が依然としてトータル負荷の定額電流より大きい場合に、次の大きいオバロードトリップオフ電流値を持つ接点４０１２、４０１５、４０１８がトリップオフして、第二出力インターフェース装置４０２２の出力を切断させ、負荷のトータル電流を調整、低降させ、出力電流が依然として大き過ぎる場合に最大オバロードトリップオフ電流値を持つ接点４０１１、４０１４、４０１７もトリップオフして、第一出力インターフェース装置４０２１の出力を切断させ、全部の出力電流を切断させ、
上述の多相電源に応用される又はマルチワイヤの電源に応用される場合に、いずれの一相の電源ワイヤはニーズにより、オバロードブレーカーを設置するか、設置しないかということが選択可能であり、中性ワイヤもニーズにより、オバロードブレーカーを設置するか、設置しないかということが選択可能であり、
上述の多相電源に応用される又はマルチワイヤの電源に応用される場合に、ニーズにより、中性ワイヤを設置するか、設置しないかということ選択可能であることを特徴とする請求項１記載の優先の電源供給順序が設定できるマルチ出力回路装置。
【請求項１１】
電流の検知ユニット、中央の制御装置で、出力側のスイッチユニットを操作、制御することにより直流又は単相のツーワイヤ式の電源に応用され、機電式、ソリッドスティットの操作、制御可能なスイッチ装置５０１１、５０１２、共同のトータル電流検知装置５００１を含め、共同に中央の制御装置５００２の操作、制御を受け、中央の制御装置５００２はトータル電流検知装置５００１の検知から取ったアナログ又はデジダル信号を受けたあとで、操作、制御可能なスイッチ装置５０１１、５０１２を開閉するように操作、制御させ、操作、制御可能なスイッチ装置５０１１は第一出力インターフェース装置５０２１に直列であるが、操作、制御可能なスイッチ装置５０１２は第二出力インターフェース装置５０２２に直列であり、また、中央の制御装置５００２がスイッチ装置５０１２及び出力インターフェース装置５０２２を操作、制御する原則はトータル負荷電流が設定値を超過するときに、設定の優先順序により非優先の出力インターフェース装置の電源供給を切断させ、同級優先の出力インターフェース装置ならば、電源供給中の出力インターフェース装置に優先維持するように電源を供給し、その主要の構成は次のようになり、
電流の検知装置５００１は選定パァウ、インピダンス値及び精密度の電流検知ユニットから構成され、又は、磁気強度で、電流値を検知するユニットから構成され、又は、誘導で電流値を検知するユニットで、電磁リンクタイプの電流検知装置を構成し、又は従来から既存のほかの装置及び必要なインターフェース回路から構成され、それで、電源ワイヤの負荷電流をデジタル、アナログ信号を転換させ、中央の制御装置５００２へ伝送し、
中央の制御装置５００２は機電ユニット、ソリッドスティット電子ユニットで、アナログやデジタルの中央の制御装置を構成し、又はマイクロプロセッサー及び相関的なソフトウエアの回路形態で、中央の制御装置を構成し、電流の検知装置５００１のトータル負荷値の信号を受けて、中央の制御装置５００２の内部に設定したパラメーターと比べ、トータル負荷電流が設定値に至る又は超過し、しかも設定の時間を持続に超過するときに、次の優先の出力インターフェースに直列であるスイッチ装置を操作、制御し、その電気エネルギーの出力を切断させ、トータル電流を減らし、そのときに、トータル負荷電流が依然として大き過ぎる場合に、最優先の電源供給の出力インターフェースに属したスイッチ装置を切断させ、電源のすべて出力を止め、
操作、制御可能なスイッチ装置５０１１、５０１２はツーセット又はツーセット以上の機電式、ソリッドスティット式の操作、制御可能なスイッチ装置から構成され、個別に属するインターフェースに直列であって、中央の制御装置５００２の制御を受け、それで、各セットの出力インターフェースを操作、制御して、送電出力させ又は回路を切断させ、
出力インターフェース装置５０２１、５０２２は様々な電気の負荷から直接に構成され、又はコンセント、端子、ほかの配電出力インターフェース装置から構成され、その電源の入力端は操作、制御可能なスイッチ装置５０１１、５０１２の機電式、ソリッドスティット式の接点に直列であり、送電出力又は回路の切断を操作、制御し、
表示装置５００３は機電式、ソリッドスティット式の表示ユニットから形成され、それで、各セットの出力インターフェース装置５０２１、５０２２の送電出力又は回路の切断状態を表し、その表示装置はニーズにより、設置するか、設置しないか選択可能であり、
電源２００は直流又は交流電源から構成されることを特徴とする請求項１記載の優先の電源供給順序が設定できるマルチ出力回路装置。
【請求項１２】
中央制御装置５００２の操作はさらに自動に電源供給を回復する機能があり、トータル電流のオバロードのときに、主動に次の優先の出力インターフェース装置に属する操作、制御可能なスイッチ装置を切断させ、対応した出力インターフェース装置の電源供給を止める以外、そのあとの自動回復機能もあり、検知するトータル電流がオバロードトリップオフ電流により低いという差異値が設定値に至って、適度時間に持続状態を確認したあとで、主動に操作、制御可能なスイッチ装置を送電回復するようにリセット（ＲＥＳＥＴ）させることを特徴とする請求項１記載の優先の電源供給順序が設定できるマルチ出力回路装置。
【請求項１３】
両相や三相電源や三線式の電源や他の多相、マルチワイヤにも応用可能であることを特徴とする請求項１記載の優先の電源供給順序が設定できるマルチ出力回路装置。
【請求項１４】
直流多電圧、マルチワイヤや交流両相や両相三線式の電源や交流三相や三相四線式電源又は他の多相、マルチワイヤの電源にも応用可能であることを特徴とする請求項１記載の優先の電源供給順序が設定できるマルチ出力回路装置。
【請求項１５】
最優先の電源供給順序の出力インターフェース回路装置に設置したオバロード作動機構及び属する接点がニーズにより、個別の独立のユニット装置を選択、構成することが可能であり、従来から既存の熱作動バイメタル又は記憶合金及び接点を含むことを特徴とする請求項１記載の優先の電源供給順序が設定できるマルチ出力回路装置。
【請求項１６】
操作、制御の電力がより大きい場合に、前述のオバロード作動機構の操作、制御した接点で、ソリッドスティット式、機電式のスイッチ装置を操作、制御したあとで、ソリッドスティット式、機電式のスイッチ装置がそれぞれ各セットの出力インターフェースを操作、制御することを特徴とする請求項１記載の優先の電源供給順序が設定できるマルチ出力回路装置。
【請求項１７】
異なる規格のノーヒューズブレーカーＮ．Ｆ．Ｂ（Ｎｏ  Ｆｕｓｅ  Ｂｒｅａｋｅｒ）が前述のオバロードブレーカー及び属する接点を取り替えてもよく、機電式又はソリッドスティット式のスイッチ装置に合わせると、優先の電源供給順序が設定できるマルチ出力回路装置は形成され、第一セットのノーヒューズブレーカー６００１、第二セットのノーヒューズブレーカー６００２、第三セットのノーヒューズブレーカー６００３、第一出力インターフェース６０３１、第二出力インターフェース６０３２、第三出力インターフェース６０３３、第一の機電式又はソリッドスティット式のスイッチ装置の駆動インターフェース６０１１、第二の機電式又はソリッドスティット式のスイッチ装置の駆動インターフェース６０１２、第一セットコモンピン（ＣＯＭ）、ノーマリクローズドピン（ＮＣ）、ノーマリオープンピン（ＮＯ）を持つ機電式又はソリッドスティット式のスイッチ装置の主動接点６０２１、第二セットコモンピン（ＣＯＭ）、ノーマリクローズドピン（ＮＣ）、ノーマリオープンピン（ＮＯ）を持つ機電式又はソリッドスティット式のスイッチ装置の主動接点６０２２など要素から形成され、第一セットのノーヒューズブレーカー６００１のトリップオフ動作の定額電流値は第二セットのノーヒューズブレーカー６００２のより大きいが、第二セットのノーヒューズブレーカー６００２のトリップオフ動作の定額電流値が第三セットのノーヒューズブレーカー６００３のより大きく、三つのノーヒューズブレーカー６００１、６００２、６００３は直列であるが、第一セットのノーヒューズブレーカー６００１が電源のａ端に近く、第三セットのノーヒューズブレーカー６００３が次の優先の負荷端に近く、第一の機電式又はソリッドスティット式のスイッチ装置の駆動インターフェース６０１１は第二セットのノーヒューズブレーカー６００２、第三セットのノーヒューズブレーカー６００３の直列接続ポイントと電源のｂ端との間に並列し、第二の機電式又はソリッドスティット式のスイッチ装置の駆動インターフェース６０１２は第三セットのノーヒューズブレーカー６００３、負荷の直列接続ポイントと電源のｂ端との間に並列し、上述第一セット主動接点６０２１のノーマリクローズドピン（ＮＣ）は第一セットのノーヒューズブレーカー６００１と第二セットのノーヒューズブレーカー６００２との直列接続ポイントに接続し、第二セット主動接点６０２２のノーマリクローズドピン（ＮＣ）は第二セットのノーヒューズブレーカー６００２と第三セットのノーヒューズブレーカー６００３との直列接続ポイントに接続し、第一セット主動接点６０２１のコモンピン（ＣＯＭ）は第一出力インターフェース６０３１に直列にしたあとで、電源のｂ端へ通じ、第二セット主動接点６０２２のコモンピン（ＣＯＭ）は第二出力インターフェース６０３２に直列にしたあとで、電源のｂ端へ通じ、第一セット主動接点６０２１のノーマリオープンピン（ＮＯ）は第二セット主動接点６０２２のコモンピン（ＣＯＭ）と第二出力インターフェース６０３２との接続ポイントへ通じ、第二セット主動接点６０２２のノーマリオープンピン（ＮＯ）は第三セットのノーヒューズブレーカー６００３と第三出力インタ��フェース６０３３との接続ポイントへ通じ、上述の回路が正常に運転しているうちに、電源ａ端の電気エネルギーは第一セットのノーヒューズブレーカー６００１、第二セットのノーヒューズブレーカー６００２、第三セットのノーヒューズブレーカー６００３を経由して、第三出力インターフェース６０３３へ供給し、第二の機電式又はソリッドスティット式のスイッチ装置の駆動インターフェース６０１２に駆動される第二セットの機電式又はソリッドスティット式のスイッチ装置において、その主動接点６０２２のノーマリクローズドピン（ＮＣ）及びコモンピン（ＣＯＭ）は電源ワイヤａの電気エネルギーを第二出力インターフェース６０３２へ伝送し、第一の機電式又はソリッドスティット式のスイッチ装置の駆動インターフェース６０１１に駆動される第一セットの機電式又はソリッドスティット式のスイッチ装置において、その主動接点６０２１のノーマリオープンピン（ＮＯ）及びコモンピン（ＣＯＭ）は電源ワイヤａの電気エネルギーを第一出力インターフェース６０３１へ伝送し、電源２００の負荷へ伝送するトータル負荷電流が定額値を超過して、オバロードになるときに小さいトリップオフ動作の定額電流を持つ第三セットのノーヒューズブレーカー６００３がまず回路を切断し、第三出力インターフェース装置６０３３の電源供給を切断し、第二の機電式又はソリッドスティット式のスイッチ装置の駆動インターフェース６０１２の主動接点６０２２駆動を切断し、そのときに、電源ａ端の電気エネルギーは第一セットのノーヒューズブレーカー６００１、第二セットのノーヒューズブレーカー６００２、第二セット主動接点６０２２のノーマリクローズドピン（ＮＣ）及びコモンピン（ＣＯＭ）を経由して、第二出力インターフェース装置６０３２へ供給し、第一セット主動接点６０２１のノーマリオープンピン（ＮＯ）及びコモンピン（ＣＯＭ）を経由して、第一出力インターフェース装置６０３１へ供給し、そのときのトータル負荷電流が依然として定額値を超過する場合に、次の小さいトリップオフ動作の定額電流を持つ第二セットのノーヒューズブレーカー６００２が回路を切断し、第二出力インターフェース装置６０３２の電源供給を切断し、第一の機電式又はソリッドスティット式のスイッチ装置の駆動インターフェース６０１１の主動接点駆動を切断し、そのときに、電源ａ端の電気エネルギーは第一セットのノーヒューズブレーカー６００１、第一セット主動接点６０２１のノーマリクローズドピン（ＮＣ）及びコモンピン（ＣＯＭ）を経由して、第一出力インターフェース装置６０３１へ供給し、負荷電流が依然としてオバロードする場合に、第一セットのノーヒューズブレーカー６００１の回路を切断させ、すべての負荷を切断させることを特徴とする請求項１記載の優先の電源供給順序が設定できるマルチ出力回路装置。
【請求項１８】
輸配電のシステムに応用可能であることに加え、ビル、工場、家庭の配電システムや車、船、飛行機、コンピュータの電源供給配電システム、通信設備、ワークステーション、情報ストック装置や他の独立の用電設備（Ｅｌｅｃｔｒｉｃ  Ｅｑｕｉｐｍｅｎｔ）の配電回路装置、緊急電源供給電源（ＵＰＳ）など電源供給装置の配電制御、管理や延長コンセント、埋め込み式のコンセントや独立発電設備、発電機の出力配電の電気制御装置やツールマシン、産業機械のランダムに電気制御する配電装置などマルチ出力インターフェース装置にも応用可能であり、それは個別負荷ユニットに電源を供給する電源供給形態の回路装置であり、その優先の電源供給順序が設定できるマルチ出力回路装置を経由して電源供給の順序を制御、管理し、オバロードを防ぐばかりでばく、部分負荷のランダムな変化によって、全面の電源切断を招くことも防止されることを特徴とする請求項１記載の優先の電源供給順序が設定できるマルチ出力回路装置。
【発明の詳細な説明】
【０００１】
【発明の属する技術分野】
本発明は優先の電源供給順序が設定できるマルチ出力回路装置に関するものである。
【０００２】
【従来の技術】
従来から、伝統のマルチ出力出力配線システムや工場や家庭の配電や多孔コンセントは通常、ランダムに、一定ではないパウーの負荷に電源を供給する。
しかし、負荷が変動して、又は新しい負荷が追加するなどランダムな変動要因で、トータル負荷電流が定額を超過する場合に、電源回路のメーン切断装置がいつもトリップオフし、すべての出力の電源供給を切断するので、同時に電源をオフさせるという不便さ及び損失を招く。
【０００３】
【発明が解決しようとする課題】
したがって、本発明の主な目的は優先の電源供給順序が設定できるマルチ出力回路装置を提供することにある。
【０００４】
【課題を解決するための手段】
上記課題を解決するための本発明の優先の電源供給順序が設定できるマルチ出力回路装置は、高い安全性を具有すると同時に、ランダムに変動する負荷を持つマルチ出力の電源を供給する回路装置に適用する。ランダムに変動する負荷の運転状態において、トータル負荷電流が設定値を超過するときに、設定されたオバロード回路切断の順序により、非優先の負荷を切断して、次の優先の負荷に電源を供給し続ける。
【０００５】
【発明の実施の形態】
本発明の目的、特徴及び効果などをご了解なさるために、以下、さらに具体的な実施例に図面をあわせて詳しく説明する。
まずは図１を参照する。それは本発明により、優先の電源供給順序が設定できるマルチ出力回路装置の基本回路を示す説明図（一）である。主な構造は次のようになる。
【０００６】
その優先の電源供給順序が設定できるマルチ出力回路装置は直流又は単相交流のツーワイヤタイプの電源２００に応用され、マルチ出力のインターフェース装置を操作、制御する。ツーセットの異なる定額オバロードトリップオフ電流のオバロードブレーカーが設けられる。各セットのオバロードブレーカーはオバロード電流の発熱で、回路切断の結構を作動させ、又はオバロード電流の励磁効果で、回路切断の結構を作動させる機構から構成される。つまり、オバロード電流の発熱作動機構で、オバロードのときに、操作、制御の接点を切断させ、又は、電流の励磁効果の作動機構で、オバロードのときに、操作、制御の接点を切断させ、オバロードブレーカーの機能に役立つ。オバロードの作動機構１０１、１０２は相互に直列であるが、オバロードの作動機構１０１の定額オバロードトリップオフ電流値が少しオバロードの作動機構１０２のより大きい。さらに、トリップオフ状態の保持機構を結ぶ。例えば、電磁コイルの磁性吸引力や細長い永久マグネットの磁性吸引力や予定力を持つ係止機構で、トリップオフ状態を保持し、人工の操作で、それをリセット（Ｒｅｓｅｔ）させ、又は機械作動力、電磁力の駆動でリセットさせる。一方、各セットの異なる定額オバロードトリップオフ電流のオバロードブレーカーにおいて、オバロード電流の発熱作動機構又は電流の励磁効果の作動機構１０１、１０２は相互に直列であり、電源ワイヤと直列である。また、各セットの異なる定額オバロードトリップオフ電流のオバロード作動機構１０１、１０２に属するそれぞれの接点１１１、１１２は各セットの出力に直列であるので、個別に各セットの出力端を操作、制御する。定額オバロードトリップオフ電流が大きいというオバロード作動機構１０１に属する接点１１１は最優先の電源供給出力端の第一出力インターフェース装置１２１に直列に接続され、第一出力インターフェース装置１２１を操作、制御する。それに対して、定額オバロードトリップオフ電流が次の大きいというオバロード作動機構１０２に属する接点１１２は次の優先の電源供給出力端の第二出力インターフェース装置１２２に直列に接続され、第二出力インターフェース装置１２２を操作、制御する。ランダムに変動するマルチ出力状態において、各出力端のトータル出力電流が定額値を超過するときに、まず、次の大きいオバロードトリップオフ電流を持つオバロード作動機構１０２に操作、制御する接点１１２がトリップオフして、電源を切断させ、合成のトータル出力電流を調整、低降させる。トータル出力電流が依然として大き過ぎる場合に、最大オバロードトリップオフ電流を持つオバロード作動機構１０１に操作、制御する接点１１１もトリップオフして、全部の出力電流を切断させる。
【０００７】
図２を参照する。それは本発明により、優先の電源供給順序が設定できるマルチ出力回路装置の基本回路を示す説明図（二）である。主な構造は次のようになる。
その優先の電源供給順序が設定できるマルチ出力回路装置は直流又は単相交流のツーワイヤタイプの電源２００に応用され、マルチ出力のインターフェース装置を操作、制御する。ツーセット又はツーセット以上の異なる定額オバロードトリップオフ電流のオバロードブレーカーが設けられる。各セットのオバロードブレーカーはオバロード電流の発熱で、回路切断の結構を作動させ、又はオバロード電流の励磁効果で、回路切断の結構を作動させる機構から構成され、オバロードの作動機構１０１、１０２、１０３を含む。オバロードの作動機構１０１の定額オバロードトリップオフ電流値が少しオバロードの作動機構１０２のより大きいが、オバロードの作動機構１０２の定額オバロードトリップオフ電流値が少しオバロードの作動機構１０３のより大きい。オバロード電流の発熱作動機構で、オバロードのときに、操作、制御の接点を切断させ、又は、電流の励磁効果の作動機構で、オバロードのときに、操作、制御の接点を切断させ、オバロードブレーカーの機能に役立つ。さらに、トリップオフ状態の保持機構を結ぶ。例えば、電磁コイルの磁性吸引力や細長い永久マグネットの磁性吸引力や予定力を持つ係止機構で、トリップオフ状態を保持し、人工の操作で、それをリセット（Ｒｅｓｅｔ）させ、又は機械作動力、電磁力の駆動でリセットさせる。一方、各セットの異なる定額オバロードトリップオフ電流のオバロードブレーカーにおいて、オバロード電流の発熱作動機構又は電流の励磁効果の作動機構１０１、１０２、１０３は相互に直列であり、電源ワイヤと直列である。また、各セットの異なる定額オバロードトリップオフ電流のオバロード作動機構１０１、１０２、１０３に属するそれぞれの接点１１１、１１２、１１３は各セットの出力に直列であるので、個別に各セットの出力端を操作、制御する。定額オバロードトリップオフ電流が大きいというオバロード作動機構１０１に属する接点１１１は最優先の電源供給出力端の第一出力インターフェース装置１２１に直列に接続され、第一出力インターフェース装置１２１を操作、制御する。定額オバロードトリップオフ電流が次の大きいというオバロード作動機構１０２に属する接点１１２は次の優先の電源供給出力端の第二出力インターフェース装置１２２に直列に接続され、第二出力インターフェース装置１２２を操作、制御する。定額オバロードトリップオフ電流が最小というオバロード作動機構１０３に属する接点１１３は最低優先の電源供給出力端の第三出力インターフェース装置１２３に直列に接続され、第三出力インターフェース装置１２３を操作、制御する。ランダムに変動するマルチ出力状態において、各出力端のトータル出力電流が定額値を超過するときに、まず、最小オバロードトリップオフ電流を持つオバロード作動機構１０３に操作、制御する接点１１３がトリップオフして、負荷電流を減らす。トータル出力電流が依然としてトータル負荷の定額電流より、大きい場合に、次の大きいオバロードトリップオフ電流を持つオバロード作動機構１０２に操作、制御する接点１１２がトリップオフして、電源を切断させ、合成のトータル出力電流を調整、低降させる。トータル出力電流が依然として大き過ぎる場合に、最大オバロードトリップオフ電流を持つオバロード作動機構１０１に操作、制御する接点１１１もトリップオフして、全部の出力電流を切断させる。
【０００８】
上述の異なる定額電流値のオバロードブレーカーの構成方式はニーズに応じて、次の結構形態を採用する。
二つ又は二つ以上、熱の作動接点１００１、１００２、１００３、及び上述の熱の作動接点１００１、１００２、１００３にマッチする、オバロード電流の発熱で作動する機構１０１１、１０１２、１０１３により、異なる定額オバロード電流値を具有するオバロードブレーカー１０２１、１０２２、１０２３を構成する。主に、熱作動のバイメタル又は記憶合金で、熱を受けると、トリップオフ、切断される接点の結構から構成される。さらに、トリップオフ状態の保持機構を結ぶ。例えば、電磁コイルの磁性吸引力や細長い永久マグネットの磁性吸引力や予定力を持つ係止機構で、トリップオフ状態を保持し、人工の操作で、それをリセット（Ｒｅｓｅｔ）させ、又は機械作動力、電磁力の駆動でリセットさせる。一方、各オバロード電流の発熱作動機構１０１１、１０１２、１０１３は直列であり、異なるオバロード電流の場合に、それぞれ相対的な熱の作動接点１００１、１００２、１００３を切断する。また、オバロード電流の発熱で作動する機構はニーズにより、低い融点を持つ材料を選択してもよいし、それで、同時にオバロード回路切断のフューズの効果を果たす。図３は本発明により、個別のオバロード電流の発熱作動機構及び接点の結構を示す説明図である。
【０００９】
二つ又は二つ以上、接点１０３１、１０３２、１０３３、及び上述の接点１０３１、１０３２、１０３３にマッチする、電流の励磁効果で作動する機構１０４１、１０４２、１０４３により、異なる定額オバロード電流値を具有するオバロードブレーカー１０５１、１０５２、１０５３を構成する。主に、電流リレー（CURRENT RELAY）で、オバロード電流があると、接点を吸引して、トリップオフ、切断させる結構、又は予定力で操作、制御する接点が電流のコイルに駆動される引き金機構を含む。それで、電流がオバロードする場合に、作動して、予定力の接点をリリースさせ、トリップオフ、回路を切断させる。さらに、トリップオフ状態の保持機構を結ぶ。例えば、電磁コイルの磁性吸引力や細長い永久マグネットの磁性吸引力や予定力を持つ係止機構で、トリップオフ状態を保持し、人工の操作で、それをリセット（Ｒｅｓｅｔ）させ、又は機械作動力、電磁力の駆動でリセットさせる。一方、各電流の励磁効果で作動する機構１０４１、１０４２、１０４３は直列であり、異なるオバロード電流の場合に、それぞれ相対的な接点１０３１、１０３２、１０３３を切断する。図４は本発明により、個別の電流の励磁効果で作動する機構及び接点の結構を示す説明図である。
【００１０】
二つ又は二つ以上、個別独立の熱の作動接点１０６１、１０６２、１０６３及び共同マッチの一体化結構型の発熱作動機構１０７１により、発熱作動の一体化結構型、マルチ接点のオバロードブレーカー１０７２を構成する。異なるオバロード電流の場合に、熱作動の接点１０６１、１０６２、１０６３はそれぞれ定額の異なる回路切断動作電流値に応じて、小から、大までの優先順序で、相対的な熱の作動接点１０６１、１０６２、１０６３を切断させる。主に、熱作動のバイメタル又は記憶合金で、熱を受けると、トリップオフ、切断される接点の結構から構成される。さらに、トリップオフ状態の保持機構を結ぶ。例えば、電磁コイルの磁性吸引力や細長い永久マグネットの磁性吸引力や予定力を持つ係止機構でトリップオフ状態を保持し、人工の操作でそれをリセット（Ｒｅｓｅｔ）させ、又は機械作動力、電磁力の駆動でリセットさせる。また、オバロード電流の発熱で作動する機構はニーズにより、低い融点を持つ材料を選択してもよいし、それで、同時にオバロード回路切断のフューズの効果を果たす。図５は本発明により、各セットの個別独立の接点及びマッチした一体化結構型、マルチ接点のオバロードブレーカー結構を示す説明図である。
【００１１】
二つ又は二つ以上、個別独立の接点１０８１、１０８２、１０８３及び共同マッチの一体化結構型の電磁効果の作動機構１０９１により、電磁効果の作動の一体化結構型オバロードブレーカー１０９２を構成する。異なるオバロード電流の場合に、それぞれ定額の異なる回路切断動作電流値に応じて、小から、大までの優先順序で、相対的な接点１０８１、１０８２、１０８３を切断させる。主に、電流リレー（CURRENT RELAY）で、オバロード電流があると、接点を吸引して、トリップオフ、切断させる結構、又は予定力で操作、制御する接点が電流のコイルに駆動される引き金機構を含む。それで、電流がオバロードする場合に、作動して、予定力の接点をリリースさせ、トリップオフ、回路を切断させる。さらに、トリップオフ状態の保持機構を結ぶ。例えば、電磁コイルの磁性吸引力や細長い永久マグネットの磁性吸引力や予定力を持つ係止機構で、トリップオフ状態を保持し、人工の操作で、それをリセット（Ｒｅｓｅｔ）させ、又は機械作動力、電磁力の駆動でリセットさせる。図６は本発明により、各セットの個別独立の接点及びマッチした共同電磁効果の作動機構の一体化結構型マルチ接点のオバロードブレーカー結構を示す説明図である。
【００１２】
上述のオバロードブレーカー結構の選択により、優先の電源供給順序が設定できるマルチ出力回路装置は様々な種類となる。図７示すのは二つ以上の接点及び共同のオバロードブレーカーをマッチする一体化結構型のマルチ接点のオバロードブレーカーである。主に、次の構成を含む。
その一体化結構型マルチ接点のオバロードブレーカー結構は直流又は単相交流のツーワイヤ電源２００に応用され、マルチ出力の負荷を操作、制御する。二つ又は二つ以上の回路切断用の操作制御接点２００１、２００２、２００３を経由して、共同の作動機構２０００に合わせて、一体化結構型のマルチ接点のオバロードブレーカーを構成する。共同オバロードブレーカーはオバロード電流の発熱で、回路切断の結構を作動させ、又はオバロード電流の励磁効果で、回路切断の結構を作動させる機構から構成される。さらに、トリップオフ状態の保持機構を結ぶ。例えば、電磁コイルの磁性吸引力や細長い永久マグネットの磁性吸引力や予定力を持つ係止機構で、トリップオフ状態を保持し、人工の操作でそれをリセット（Ｒｅｓｅｔ）させ、又は機械作動力、電磁力の駆動でリセットさせる。接点２００１を制御する共同オバロードの作動機構２０００の定額オバロードトリップオフ電流値が少し接点２００２のより大きいが、接点２００２を制御する共同オバロードの作動機構２０００の定額オバロードトリップオフ電流値が少し接点２００３のより大きい。共同オバロードの作動機構２０００のオバロード電流の発熱作動ユニット又は電流の励磁の作動ユニットは電源ワイヤと直列である。また、それぞれの接点２００１、２００２、２００３はそれぞれ各セットの出力端に直列である。オバロードトリップオフ電流が大きいという回路切断用の操作、制御接点２００１は最優先の電源供給出力端の第一出力インターフェース装置２０１１に直列に接続され、第一出力インターフェース装置２０１１を操作、制御する。オバロードトリップオフ電流が次の大きいという回路切断用の操作、制御接点２００２は次の優先の電源供給出力端の第二出力インターフェース装置２０１２に直列に接続され、第二出力インターフェース装置２０１２を操作、制御する。オバロードトリップオフ電流が最小という回路切断用の操作、制御接点２００３は最低優先の電源供給出力端の第三出力インターフェース装置２０１３に直列に接続され、第三出力インターフェース装置２０１３を操作、制御する。ランダムに変動するマルチ出力状態において、各出力端のトータル出力電流が定額値を超過するときに、まず、最小オバロードトリップオフ電流値を持つ接点２００３がトリップオフして、部分の負荷電流を減らす。トータル出力電流が依然としてトータル負荷の定額電流より、大きい場合に、次の大きいオバロードトリップオフ電流値を持つ接点２００２がトリップオフして、トータル出力電流を調整、低降させる。トータル出力電流が依然として大き過ぎる場合に、最大オバロードトリップオフ電流値を持つ接点２００１もトリップオフして、全部の出力電流を切断させる。
【００１３】
前述の実施例が直流又は単相の交流電源２００のツーワイヤタイプの回路に応用されるが、優先の電源供給順序が設定できるマルチ出力回路装置は多相、マルチワイヤタイプの電源にも応用できる。図８は本発明により、異なる定額のオバロードトリップオフ電流値を具有するマルチセットの独立のオバロードブレーカーで構成される三相、又は三線式の電源応用案例の回路を示す説明図である。それは主に次の要素から形成される。
【００１４】
その優先の電源供給順序が設定できるマルチ出力回路装置は三相、又は三線式の電源３００に応用されるときに、各相の電源ワイヤ又はマルチワイヤタイプの電源の各電源ワイヤにおいて、それぞれツーセット又はツーセット以上の異なる定額のオバロードトリップオフ電流を持つオバロードブレーカーを設ける。各オバロードブレーカーはオバロード電流の発熱作動結構、又はオバロード電流の励磁効果で、回路切断の結構を作動させる機構から構成される。その中に、Ｕ相電源に直列であるオバロード作動機構３００１、３００２、３００３はそれぞれ対応した接点３０１１、３０１２、３０１３を操作、制御する。Ｖ相電源に直列であるオバロード作動機構３００４、３００６、３００６はそれぞれ対応した接点３０１４、３０１５、３０１６を操作、制御する。Ｗ相電源に直列であるオバロード作動機構３００７、３００８、３００９はそれぞれ対応した接点３０１７、３０１８、３０１９を操作、制御する。オバロード作動機構３００１の定額オバロードトリップオフ電流値が少しオバロード作動機構３００２のより大きいが、オバロード作動機構３００２の定額オバロードトリップオフ電流値が少しオバロード作動機構３００３のより大きい。オバロード作動機構３００４の定額オバロードトリップオフ電流値が少しオバロード作動機構３００５のより大きいが、オバロード作動機構３００５の定額オバロードトリップオフ電流値が少しオバロード作動機構３００６のより大きい。オバロード作動機構３００７の定額オバロードトリップオフ電流値が少しオバロード作動機構３００８のより大きいが、オバロード作動機構３００８の定額オバロードトリップオフ電流値が少しオバロード作動機構３００９のより大きい。オバロード電流の発熱作動機構で、オバロードのときに、操作、制御の接点を切断させ、又は、電流の励磁効果の作動機構で、オバロードのときに、操作、制御の接点を切断させ、オバロードブレーカーの機能に役立つ。さらに、トリップオフ状態の保持機構を結ぶ。例えば、電磁コイルの磁性吸引力や細長い永久マグネットの磁性吸引力や予定力を持つ係止機構で、トリップオフ状態を保持し、人工の操作で、それをリセット（Ｒｅｓｅｔ）させ、又は機械作動力、電磁力の駆動でリセットさせる。各セットの異なる定額オバロード電流値を持つオバロードブレーカーのオバロード電流の発熱作動ユニット又は電流の励磁の作動ユニットは相互に直列でありて、それぞれ三相又は三線タイプの電源ワイヤと直列である。また、各セットの異なるトリップオフ電流値を持つオバロードブレーカーの対応接点３０１１、３０１４、３０１７は第一出力インターフェース装置３０２１各入力端に直列に接続され、接点３０１２、３０１５、３０１８は第二出力インターフェース装置３０２２各入力端に直列に接続され、接点３０１３、３０１６、３０１９は第三出力インターフェース装置３０２３の各出力端に直列に接続される。オバロードトリップオフ電流が大きいというオバロード作動機構３００１、３００４、３００７の接点３０１１、３０１４、３０１７は最優先の電源供給出力端の第一出力インターフェース装置３０２１に直列に接続され、第一出力インターフェース装置３０２１を操作、制御する。オバロードトリップオフ電流が次の大きいというオバロード作動機構３００２、３００５、３００８の接点３０１２、３０１５、３０１８は次の優先の電源供給出力端の第二出力インターフェース装置３０２２に直列に接続され、第二出力インターフェース装置３０２２を操作、制御する。オバロード作動機構３００３、３００６、３００９の接点３０１３、３０１６、３０１９は最低優先の電源供給出力端の第三出力インターフェース装置３０２３に直列に接続され、第三出力インターフェース装置３０２３を操作、制御する。ランダムに変動するマルチ出力状態において、各出力端のトータル出力電流が定額値を超過するときに、まず、最小オバロードトリップオフ電流値を持つオバロード作動機構３００３、３００６、３００９がトリップオフして、３０２３の出力を切断させ、トータル出力電流を減らす。トータル出力電流が依然としてトータル負荷の定額電流より、大きい場合に、次の大きいオバロードトリップオフ電流値を持つオバロード作動機構３００２、３００５、３００８がトリップオフして、負荷のトータル電流を調整、低降させる。出力電流が依然として大き過ぎる場合に、最大オバロードトリップオフ電流値を持つオバロード作動機構３００１、３００４、３００７もトリップオフして、全部の出力電流を切断させる。
【００１５】
上述の多相電源に応用される場合に、いずれの一相の電源ワイヤはニーズにより、オバロードブレーカーを設置するか、設置しないかということが選択でき、中性ワイヤもニーズにより、オバロードブレーカーを設置するか、設置しないかということが選択できる。
優先の電源供給順序が設定できるマルチ出力回路装置は多相、マルチワイヤタイプの電源にも応用できる。図９は本発明により、一体化結構型のマルチ接点のオバロードブレーカーから構成される三相、又は三線式の電源応用案例の回路を示す説明図である。それは主に次の要素から形成される。
【００１６】
その優先の電源供給順序が設定できるマルチ出力回路装置は三相、又は三線式の電源３００に応用されるときに、各相の電源ワイヤ又はマルチワイヤタイプの電源の各電源ワイヤにおいて、それぞれ一体化結構型のマルチ接点のオバロードブレーカー４００１、４００２、４００３を設ける。ツーセット又はツーセット以上の異なる定額のオバロードトリップオフ電流を持つ接点を操作、制御する。その中に、Ｕ相電源に直列であるオバロード作動機構４００１はそれぞれ対応した接点４０１１、４０１２、４０１３を操作、制御する。Ｖ相電源に直列であるオバロード作動機構４００２はそれぞれ対応した接点４０１４、４０１５、４０１６を操作、制御する。Ｗ相電源に直列であるオバロード作動機構４００３はそれぞれ対応した接点４０１７、４０１８、４０１９を操作、制御する。各オバロードブレーカーはオバロード電流の発熱作動機構又はオバロード電流の励磁効果の作動機構から構成され、Ｕ相電源に直列であるオバロード作動機構４００１、Ｖ相電源に直列であるオバロード作動機構４００２、Ｗ相電源に直列であるオバロード作動機構４００３を含む。オバロード電流の発熱作動機構で、オバロードのときに、異なる定額オバロードトリップオフ電流値の設定順序により、操作、制御の接点を切断させ、又は、電流の励磁効果の作動機構で、オバロードのときに、異なる定額オバロードトリップオフ電流値の設定順序により、操作、制御の接点を切断させ、オバロードブレーカーの機能に役立つ。さらに、トリップオフ状態の保持機構を結ぶ。例えば、電磁コイルの磁性吸引力や細長い永久マグネットの磁性吸引力や予定力を持つ係止機構で、トリップオフ状態を保持し、人工の操作で、それをリセット（Ｒｅｓｅｔ）させ、又は機械作動力、電磁力の駆動でリセットさせる。各セットのオバロードブレーカーにおいて、オバロード電流の発熱作動ユニット又は電流の励磁効果の作動ユニットから形成される一体化結構型のオバロード作動機構４００１、４００２、４００３はそれぞれ三相、又は三線式の電源ワイヤと直列に接続される。また、各セットのオバロードブレーカーに操作、制御される個別接点において、定額回路切断の設定される高いトリップオフ電流値を持つ接点４０１１、４０１４、４０１７が第一出力インターフェース装置４０２１の各入力端に直列に接続され、定額回路切断の設定される次の高いトリップオフ電流値を持つ接点４０１２、４０１５、４０１８が第二出力インターフェース装置４０２２の各入力端に直列に接続され、定額回路切断の設定される最低トリップオフ電流値を持つ接点４０１３、４０１６、４０１９が第三出力インターフェース装置４０２３の各入力端に直列に接続される。そして、それぞれ各セットの出力端を操作、制御する。ランダムに変動するマルチ出力状態において、各出力端のトータル出力電流が定額値を超過するときに、まず、最小オバロードトリップオフ電流値を持つ接点４０１３、４０１６、４０１９がトリップオフして、第三出力インターフェース装置４０２３の出力を切断させ、トータル出力電流を減らす。トータル出力電流が依然としてトータル負荷の定額電流より、大きい場合に、次の大きいオバロードトリップオフ電流値を持つ接点４０１２、４０１５、４０１８がトリップオフして、第二出力インターフェース装置４０２２の出力を切断させ、負荷のトータル電流を調整、低降させる。出力電流が依然として大き過ぎる場合に、最大オバロードトリップオフ電流値を持つ接点４０１１、４０１４、４０１７もトリップオフして、第一出力インターフェース装置４０２１の出力を切断させ、全部の出力電流を切断させる。
【００１７】
上述の多相電源に応用される又はマルチワイヤの電源に応用される場合に、いずれの一相の電源ワイヤはニーズにより、オバロードブレーカーを設置するか、設置しないかということが選択でき、中性ワイヤもニーズにより、オバロードブレーカーを設置するか、設置しないかということが選択できる。
上述の多相電源に応用される又はマルチワイヤの電源に応用される場合に、ニーズにより、中性ワイヤを設置するか、設置しないかということが選択できる。
【００１８】
優先する電源供給順序が設定できるマルチ出力回路装置のほかの応用は図１０に示すようとなる。それは本発明の応用として、電流の検知ユニット、中央の制御装置で、出力側のスイッチユニットを操作、制御することにより、直流又は単相のツーワイヤ式の電源に応用される実施例を示す説明図である。主に、機電式、ソリッドスティットの操作、制御できるスイッチ装置５０１１、５０１２、共同のトータル電流検知装置５００１を含め、共同に中央の制御装置５００２の操作、制御を受ける。中央の制御装置５００２はトータル電流検知装置５００１の検知から取ったアナログ又はデジダル信号を受けたあとで、操作、制御できるスイッチ装置５０１１、５０１２を開閉するように操作、制御させる。操作、制御できるスイッチ装置５０１１は第一出力インターフェース装置５０２１に直列であるが、操作、制御できるスイッチ装置５０１２は第二出力インターフェース装置５０２２に直列である。また、中央の制御装置５００２がスイッチ装置５０１２及び出力インターフェース装置５０２２を操作、制御する原則はトータル負荷電流が設定値を超過するときに、設定の優先順序により、非優先の出力インターフェース装置の電源供給を切断させ、同級優先の出力インターフェース装置ならば、電源供給中の出力インターフェース装置に、優先維持のように電源を供給する。その主要の構成は次のようになる。
【００１９】
電流の検知装置５００１は選定パァウ、インピダンス値及び精密度の電流検知ユニットから構成され、又は、磁気強度で、電流値を検知するユニットから構成され、又は、誘導で電流値を検知するユニットで、電磁リンクタイプの電流検知装置を構成し、又は従来から、既存のほかの装置及び必要なインターフェース回路から構成される。それで、電源ワイヤの負荷電流をデジタル、アナログ信号を転換させ、中央の制御装置５００２へ伝送する。
【００２０】
中央の制御装置５００２は機電ユニット、ソリッドスティット電子ユニットで、アナログやデジタルの中央の制御装置を構成し、又はマイクロプロセッサー及び相関的なソフトウエアの回路形態で、中央の制御装置を構成する。電流の検知装置５００１のトータル負荷値の信号を受けて、中央の制御装置５００２の内部に設定したパラメーターと比べる。トータル負荷電流が設定値に至る又は超過するときに、しかも設定の時間を持続に超過するときに、次の優先の出力インターフェースに直列であるスイッチ装置を操作、制御し、その電気エネルギーの出力を切断させ、トータル電流を減らす。そのときに、トータル負荷電流が依然として大き過ぎる場合に、最優先の電源供給の出力インターフェースに属したスイッチ装置を切断させ、電源のすべて出力を止める。
【００２１】
操作、制御できるスイッチ装置５０１１、５０１２はツーセット又はツーセット以上の機電式、ソリッドスティット式の操作、制御できるスイッチ装置から構成される。個別に属するインターフェースに直列でありて、中央の制御装置５００２の制御を受ける。それで、各セットの出力インターフェースを操作、制御して、送電出力させ又は回路を切断させる。
【００２２】
出力インターフェース装置５０２１、５０２２は様々な電気の負荷から直接に構成され、又はコンセント、端子、ほかの配電出力インターフェース装置から構成される。その電源の入力端は操作、制御できるスイッチ装置５０１１、５０１２の機電式、ソリッドスティット式の接点に直列であり、送電出力又は回路の切断を操作、制御する。
【００２３】
表示装置５００３は機電式、ソリッドスティット式の表示ユニットから形成される。それで、各セットの出力インターフェース装置５０２１、５０２２の送電出力又は回路の切断状態を表す。そんな表示装置はニーズにより、設置するか、設置しないか選択できる。
電源２００は直流又は交流電源から構成される。
その他、前述の中央制御装置５００２の操作はさらに自動に電源供給を回復する機能がある。トータル電流のオバロードのときに、主動に、次の優先の出力インターフェース装置に属する操作、制御できるスイッチ装置を切断さし、対応した出力インターフェース装置の電源供給を止める以外、そのあとの自動回復機能もある。検知するトータル電流がオバロードトリップオフ電流により低いという差異値が設定値に至って、しかも適度時間に持続状態を確認したあとで、主動に、操作、制御できるスイッチ装置を送電回復のようにリセット（ＲＥＳＥＴ）させる。
【００２４】
同じ原理で、図１０の実施例は両相や三相電源や三線式の電源や他の多相、マルチワイヤにも応用できる。図１１は本発明により、電流の検知ユニット及び中央制御装置で、出力側のスイッチユニットを操作、制御して、多相の電源に応用する実施例を示す説明図である。図１１の実施例の電源３００は三相又は三線式で、動作原理及びコンポネットは図１０と同じなので、その説明を省略する。
【００２５】
要するに、そのような優先の電源供給順序が設定できるマルチ出力回路装置はニーズにより、直流多電圧、マルチワイヤや交流両相や両相三線式の電源や交流三相や三相四線式電源又は他の多相、マルチワイヤの電源にも応用できる。
その他、そのような優先の電源供給順序が設定できるマルチ出力回路装置は様々な応用において、最優先の電源供給順序の出力インターフェース回路装置に設置したオバロード作動機構及び属する接点がニーズにより、個別の独立のユニット装置を選択、構成することができ、従来から既存の熱作動バイメタル又は記憶合金及び接点を含む。
【００２６】
その優先の電源供給順序が設定できるマルチ出力回路装置は様々な応用において、操作、制御の電力がより大きい場合に、前述のオバロード作動機構の操作、制御した接点で、ソリッドスティット式、機電式のスイッチ装置を操作、制御したあとで、ソリッドスティット式、機電式のスイッチ装置がそれぞれ各セットの出力インターフェースを操作、制御する。
【００２７】
また、異なる規格のノーヒューズブレーカーＮ．Ｆ．Ｂ（Ｎｏ  Ｆｕｓｅ  Ｂｒｅａｋｅｒ）が前述のオバロードブレーカー及び属する接点を取り替えてもよい。機電式又はソリッドスティット式のスイッチ装置に合わせると、優先の電源供給順序が設定できるマルチ出力回路装置は形成される。図１２は本発明により、異なる定額のオバロードトリップオフ電流値を持つノーヒューズブレーカーから直列で構成される回路を示す説明図である。主に、第一セットのノーヒューズブレーカー６００１、第二セットのノーヒューズブレーカー６００２、第三セットのノーヒューズブレーカー６００３、（注：三セットの例を挙げ）、第一出力インターフェース６０３１、第二出力インターフェース６０３２、第三出力インターフェース６０３３（注：三セットの例を挙げ）、第一の機電式又はソリッドスティット式のスイッチ装置の駆動インターフェース６０１１、第二の機電式又はソリッドスティット式のスイッチ装置の駆動インターフェース６０１２、第一セットコモンピン（ＣＯＭ）、ノーマリクローズドピン（ＮＣ）、ノーマリオープンピン（ＮＯ）を持つ機電式又はソリッドスティット式のスイッチ装置の主動接点６０２１、第二セットコモンピン（ＣＯＭ）、ノーマリクローズドピン（ＮＣ）、ノーマリオープンピン（ＮＯ）を持つ機電式又はソリッドスティット式のスイッチ装置の主動接点６０２２など要素から形成される。第一セットのノーヒューズブレーカー６００１のトリップオフ動作の定額電流値は第二セットのノーヒューズブレーカー６００２のより大きいが、第二セットのノーヒューズブレーカー６００２のトリップオフ動作の定額電流値が第三セットのノーヒューズブレーカー６００３のより大きい。三つのノーヒューズブレーカー６００１、６００２、６００３は直列であるが、第一セットのノーヒューズブレーカー６００１が電源のａ端に近いし、第三セットのノーヒューズブレーカー６００３が次の優先の負荷端に近い。第一の機電式又はソリッドスティット式のスイッチ装置の駆動インターフェース６０１１は第二セットのノーヒューズブレーカー６００２、第三セットのノーヒューズブレーカー６００３の直列接続ポイントと電源のｂ端との間に並列する。第二の機電式又はソリッドスティット式のスイッチ装置の駆動インターフェース６０１２は第三セットのノーヒューズブレーカー６００３、負荷の直列接続ポイントと電源のｂ端との間に並列する。上述第一セット主動接点６０２１のノーマリクローズドピン（ＮＣ）は第一セットのノーヒューズブレーカー６００１と第二セットのノーヒューズブレーカー６００２との直列接続ポイントに接続し、第二セット主動接点６０２２のノーマリクローズドピン（ＮＣ）は第二セットのノーヒューズブレーカー６００２と第三セットのノーヒューズブレーカー６００３との直列接続ポイントに接続する。第一セット主動接点６０２１のコモンピン（ＣＯＭ）は第一出力インターフェース６０３１に直列でありたあとで、電源のｂ端へ通じる。第二セット主動接点６０２２のコモンピン（ＣＯＭ）は第二出力インターフェース６０３２に直列でありたあとで、電源のｂ端へ通じる。第一セット主動接点６０２１のノーマリオープンピン（ＮＯ）は第��セット主動接点６０２２のコモンピン（ＣＯＭ）と第二出力インターフェース６０３２との接続ポイントへ通じる。第二セット主動接点６０２２のノーマリオープンピン（ＮＯ）は第三セットのノーヒューズブレーカー６００３と第三出力インターフェース６０３３との接続ポイントへ通じる。上述の回路が正常に運転しているうちに、電源ａ端の電気エネルギーは第一セットのノーヒューズブレーカー６００１、第二セットのノーヒューズブレーカー６００２、第三セットのノーヒューズブレーカー６００３を経由して、第三出力インターフェース６０３３へ供給する。第二の機電式又はソリッドスティット式のスイッチ装置の駆動インターフェース６０１２に駆動される第二セットの機電式又はソリッドスティット式のスイッチ装置において、その主動接点６０２２のノーマリクローズドピン（ＮＣ）及びコモンピン（ＣＯＭ）は電源ワイヤａの電気エネルギーを第二出力インターフェース６０３２へ伝送する。第一の機電式又はソリッドスティット式のスイッチ装置の駆動インターフェース６０１１に駆動される第一セットの機電式又はソリッドスティット式のスイッチ装置において、その主動接点６０２１のノーマリオープンピン（ＮＯ）及びコモンピン（ＣＯＭ）は電源ワイヤａの電気エネルギーを第一出力インターフェース６０３１へ伝送する。電源２００の負荷へ伝送するトータル負荷電流が定額値を超過して、オバロードになるときに、小さいトリップオフ動作の定額電流を持つ第三セットのノーヒューズブレーカー６００３がまず回路を切断し、第三出力インターフェース装置６０３３の電源供給を切断し、第二の機電式又はソリッドスティット式のスイッチ装置の駆動インターフェース６０１２の主動接点６０２２駆動を切断する。そのときに、電源ａ端の電気エネルギーは第一セットのノーヒューズブレーカー６００１、第二セットのノーヒューズブレーカー６００２、第二セット主動接点６０２２のノーマリクローズドピン（ＮＣ）及びコモンピン（ＣＯＭ）を経由して、第二出力インターフェース装置６０３２へ供給し、第一セット主動接点６０２１のノーマリオープンピン（ＮＯ）及びコモンピン（ＣＯＭ）を経由して、第一出力インターフェース装置６０３１へ供給する。そのときのトータル負荷電流が依然として、定額値を超過する場合に、次の小さいトリップオフ動作の定額電流を持つ第二セットのノーヒューズブレーカー６００２が回路を切断し、第二出力インターフェース装置６０３２の電源供給を切断し、第一の機電式又はソリッドスティット式のスイッチ装置の駆動インターフェース６０１１の主動接点駆動を切断する。そのときに、電源ａ端の電気エネルギーは第一セットのノーヒューズブレーカー６００１、第一セット主動接点６０２１のノーマリクローズドピン（ＮＣ）及びコモンピン（ＣＯＭ）を経由して、第一出力インターフェース装置６０３１へ供給する。負荷電流が依然としてオバロードする場合に、第一セットのノーヒューズブレーカー６００１の回路を切断させ、すべての負荷を切断させる。
【００２８】
そのような優先の電源供給順序が設定できるマルチ出力回路装置は輸配電のシステムに応用できる以外、ビル、工場、家庭の配電システムや車、船、飛行機、コンピュータの電源供給配電システム、通信設備、ワークステーション、情報ストック装置や他の独立の用電設備（Ｅｌｅｃｔｒｉｃ  Ｅｑｕｉｐｍｅｎｔ）の配電回路装置、緊急電源供給電源（ＵＰＳ）など電源供給装置の配電制御、管理や延長コンセント、埋め込み式のコンセントや独立発電設備、例えば、発電機の出力配電の電気制御装置やツールマシン、産業機械のランダムに電気制御する配電装置などマルチ出力インターフェース装置にも応用できる。それは個別負荷ユニットに電源を供給することを特徴とする電源供給形態の回路装置である。その優先の電源供給順序が設定できるマルチ出力回路装置を経由して、電源供給の順序を制御、管理し、オバロードを防ぐばかりでばく、部分負荷のランダムな変化によって、全面の電源切断を招くことも防止される。
【００２９】
以上の内容をまとめると、そのような優先の電源供給順序が設定できるマルチ出力回路装置は特定の創案、新規の回路装置を伝統のマルチ出力回路に追加すると、さらに優先する電源供給順序を持ち、ランダムに応用すると合成電流がオバロードブレーカーの定額値を超過するので、全部の負荷がトリップオフしてすべて負荷が切断されるという不便さを防ぐ。例えば、夜間にランプの照明負荷の重要性はほかの負荷より優先されるので、オバロードの場合に照明を優先して保持し、ほかの出力インターフェースの負荷を暫く排除する。そのような発明は特定の回路構造で、特定の効果を提供する。確かに、適切な効果、発明の新規性を持つので、特許新案の請求を提出致し、法律により、審査を頂ければと願っています。
【００３０】
【発明の効果】
上記優先の電源供給順序が設定できるマルチ出力回路装置は特定回路のレイアウトで、ツーセット又はツーセット以上の出力インターフェース装置の配電システム又は独立の用電設備（Ｅｌｅｃｔｒｉｃ  Ｅｑｕｉｐｍｅｎｔ）の配電回路装置又はコンセントを操作、制御する。そして、各出力インターフェース装置の電源供給の優先順序を設定する。マルチ出力端の負荷がランダムに変動して、負荷のトータル電流値が定額値電流を超過するときに、前述の設定した優先順序により、まず、非優先の出力端の部分負荷を切断し、負荷のトータル電流を定額値以下まで減らす。さらに、その優先の電源供給順序が設定できるマルチ出力回路装置は高い安全性を具有すると同時に、ランダムに変動する負荷を持つマルチ出力の電源を供給する回路装置にも適用する。ランダムに変動する負荷の運転状態において、トータル負荷電流が設定値を超過するときに、設定されたオバロード回路切断の順序により、非優先の負荷を切断して、次の優先の負荷に電源を供給し続けるということを特色とする。
【図面の簡単な説明】
【図１】本発明の第一実施例による優先の電源供給順序が設定できるマルチ出力回路装置の基本回路を示す説明図（一）である。
【図２】本発明の第一実施例による優先の電源供給順序が設定できるマルチ出力回路装置の基本回路を示す説明図（二）である。
【図３】本発明の第一実施例による優先の電源供給順序が設定できるマルチ出力回路装置の個別オバロード電流の発熱作動機構及び接点の結構実例を示す説明図である。
【図４】本発明の第一実施例による優先の電源供給順序が設定できるマルチ出力回路装置の個別励磁効果の作動機構及び接点の結構実例を示す説明図である。
【図５】本発明の第一実施例による優先の電源供給順序が設定できるマルチ出力回路装置の各セットの個別独立の接点及びマッチした一体化結構型、マルチ接点のオバロードブレーカー結構を示す説明図である。
【図６】本発明の第一実施例による優先の電源供給順序が設定できるマルチ出力回路装置の各セットの個別独立の接点及びマッチした共同電磁効果の作動機構の一体化結構型マルチ接点のオバロードブレーカー結構を示す説明図である。
【図７】本発明の第一実施例による優先の電源供給順序が設定できるマルチ出力回路装置の二つ以上の接点及び共同のオバロードブレーカーをマッチする一体化結構型のマルチ接点のオバロードブレーカーである。
【図８】本発明の第一実施例による優先の電源供給順序が設定できるマルチ出力回路装置の異なる定額のオバロードトリップオフ電流値を具有するマルチセットの独立のオバロードブレーカーで構成される三相、又は三線式の電源応用案例の回路を示す説明図である。
【図９】本発明の第一実施例による優先の電源供給順序が設定できるマルチ出力回路装置の一体化結構型のマルチ接点のオバロードブレーカーから構成される三相、又は三線式の電源応用案例の回路を示す説明図である。
【図１０】本発明の第二実施例による優先の電源供給順序が設定できるマルチ出力回路装置の電流の検知ユニット、中央の制御装置で、出力側のスイッチユニットを操作、制御することにより、直流又は単相のツーワイヤ式の電源に応用される実施例を示す説明図である。
【図１１】本発明の第三実施例による優先の電源供給順序が設定できるマルチ出力回路装置の電流の検知ユニット及び中央制御装置で、出力側のスイッチユニットを操作、制御して、多相の電源に応用する実施例を示す説明図である。
【図１２】本発明の第四実施例による優先の電源供給順序が設定できるマルチ出力回路装置の異なる定額のオバロードトリップオフ電流値を持つノーヒューズブレーカーから直列で構成される回路を示す説明図である。
【符号の説明】
１０１、１０２、１０３、３００１、３００２、３００３、３００４、３００５、３００６、３００７、３００８、３００９、４００１、４００２、４００３、４００４、４００５、４００６、４００７、４００８、４００９    オバロードの作動機構
１１１、１１２、１１２、１０３１、１０３２、１０３３、１０８１、１０８２、１０８３、３０１１、３０１２、３０１３、３０１４、３０１５、３０１６、３０１７、３０１８、３０１９、４０１１、４０１２、４０１３、４０１４、４０１５、４０１６、４０１７、４０１８、４０１９    接点
１２１、１２２、１２３、２０１１、２０１２、２０１３、３０２１、３０２２、３０２３、４０２１、４０２２、４０２３、５０２１、５０２２、６０３１、６０３２、６０３３    出力インターフェース装置
２００    電源
３００    三相、又は三線式の電源
１００１、１００２、１００３、１０６１、１０６２、１０６３    熱の作動接点
１０１１、１０１２、１０１３    オバロード電流の発熱作動機構
１０２１、１０２２、１０２３、１０５１、１０５２、１０５３    オバロードブレーカー
１０４１、１０４２、１０４３    電流の励磁効果の作動機構
１０７１    一体化結構型の作動機構
１０７２    発熱作動の一体化結構型のマルチ  接点のオバロードブレーカー
１０９１    一体化結構型の電磁効果の作動機構
１０９２    電磁効果作動の一体化結構型のオバロードブレーカー
２０００    共同オバロード作動機構
２００１、２００２、２００３    回路切断用の操作制御接点
５００１    電流検知装置
５００２    中央の制御装置
５０１１、５０１２    操作、制御できるスイッチ装置
６００１、６００２、６００３    ノーヒューズブレーカー
６０１１、６０１２    機電式又はソリッドスティット式のスイッチ装置の駆動インターフェース
６０２１、６０２２    機電式又はソリッドスティット式のスイッチ装置の駆動インターフェースの主動接点
【図１】
2004208393.tif 000003
【図２】
2004208393.tif 000004
【図３】
2004208393.tif 000005
【図４】
2004208393.tif 000006
【図５】
2004208393.tif 000007
【図６】
2004208393.tif 000008
【図７】
2004208393.tif 000009
【図８】
2004208393.tif 000010
【図９】
2004208393.tif 000011
【図１０】
2004208393.tif 000012
【図１１】
2004208393.tif 000013
【図１２】
2004208393.tif 000014